(57)【要約】【課題】外カムの前端部の変形を低減することによって、生産性の向上を可能とするノック式筆記具を提供する。【解決手段】本発明は、内周面に外カム３１が設けられた軸筒５と、外カム３１内又は外カム３１間の溝３２内を前後方向に摺動するように構成された突起４１が外周面に設けられたノック棒４０であって、前端部にカム面４２が形成されたノック棒４０と、カム面４２と相補的な形状のカム受け面５３が形成された回転子５０であって、外周面に内カム５６が設けられ、内カム５６は、カム面４２がカム受け面５３を押圧することによって回転子５０が回転すると、外カム３１と係合し又は溝３２内に収容されるように構成される、回転子５０とを備えた、ノック式筆記具において、外カム３１の前端部が面取りされ又は丸みを帯びていることを特徴とする、ノック式筆記具１を提供する。【選択図】図８
2015003443.tif 000002
【特許請求の範囲】
【請求項１】
内周面に外カムが設けられた軸筒と、
前記外カム内又は該外カム間の溝内を前後方向に摺動するように構成された突起が外周面に設けられたノック棒であって、前端部にカム面が形成されたノック棒と、
前記カム面と相補的な形状のカム受け面が形成された回転子であって、外周面に内カムが設けられ、該内カムは、前記カム面が前記カム受け面を押圧することによって該回転子が回転すると、前記外カムと係合し又は前記溝内に収容されるように構成される、回転子と
を備えた、ノック式筆記具において、
前記外カムの前端部が面取りされ又は丸みを帯びていることを特徴とする、ノック式筆記具。
【請求項２】
前記外カムが、前後方向に延在し且つ周方向に連続して配置された３つの棒状部から成り、両端の棒状部の前端部が面取りされ又は丸みを帯びている、請求項１に記載のノック式筆記具。
【請求項３】
前記外カム及び内カムを３つ又は４つずつ備える、請求項１又は２に記載のノック式筆記具。
【発明の詳細な説明】
【技術分野】
【０００１】
本発明はノック式筆記具に関する。
【背景技術】
【０００２】
従来、特許文献１〜３に開示されるように、ノック操作によってペン先が出没するノック式筆記具が知られている。ノック式筆記具はノック機構を備える。ノック機構は、内周面に外カムが設けられた軸筒と、外周面に内カムが設けられた回転子と、ノック操作によって回転子を周方向に回転させるように構成されたノック棒とを備える。
【０００３】
ノック操作によって回転子が回転すると、回転子の内カムは、軸筒内の外カムと係合し（筆記状態）又は外カム間の溝内に収容される（非筆記状態）。このことによって、回転子、ひいてはインキ収容管を介して回転子に連結されたペン先が前後方向に移動し、ペン先の出没が可能となる。
【０００４】
筆記具の組立時には、最初に軸筒内にノック棒が挿入され、その後、軸筒内に回転子が挿入される。組立は手作業又は自動機によって行われる。自動機を用いた組立では、自動アーム機、エアー等によってノック棒及び回転子が軸筒内に送達される。
【先行技術文献】
【特許文献】
【０００５】
【特許文献１】特開２０１２−２１０７４５号公報
【特許文献２】特開２００８−１７３９１２号公報
【特許文献３】実用新案登録第３１５９５３５号公報
【発明の概要】
【発明が解決しようとする課題】
【０００６】
しかしながら、組立時にノック棒又は回転子が軸筒内の外カムの前端部に強く衝突すると、外カムの前端部が変形することがある。このことは、特にエアー供給による組立時に発生しやすい。
【０００７】
外カムの前端部が変形して外カム間の溝内に延びると、ノック操作によって回転子の内カムを溝内に収容できない不具合が生じうる。この場合、ペン先が軸筒内に没入されないので、ノック不良が引き起こされる。このため、筆記具の生産工程において不良品の選別が必要となり、筆記具の生産性の向上が妨げられる。
【０００８】
そこで、本発明は、上記の問題点に鑑みてなされたものであって、筆記具の組立時に外カムの前端部を変形させることによる不良品の発生を抑制し、ひいては生産性の向上を可能とするノック式筆記具を提供することを目的とする。
【課題を解決するための手段】
【０００９】
本発明の第１態様では、内周面に外カムが設けられた軸筒と、外カム内又は外カム間の溝内を前後方向に摺動するように構成された突起が外周面に設けられたノック棒であって、前端部にカム面が形成されたノック棒と、カム面と相補的な形状のカム受け面が形成された回転子であって、外周面に内カムが設けられ、内カムは、カム面がカム受け面を押圧することによって回転子が回転すると、外カムと係合し又は溝内に収容されるように構成される、回転子とを備えた、ノック式筆記具において、外カムの前端部が面取りされ又は丸みを帯びていることを特徴とする、ノック式筆記具が提供される。なお、筆記具の先端すなわちペン先側を筆記具の「前」側と定義し、筆記具の軸線方向（長手方向）に沿って筆記具のペン先とは反対側を筆記具の「後」側と定義する。
【００１０】
本発明の第１態様では、外カムが、前後方向に延在し且つ周方向に連続して配置された３つの棒状部から成り、両端の棒状部の前端部が面取りされ又は丸みを帯びていることが好ましい。
【００１１】
本発明の第１態様では、ノック式筆記具が外カム及び内カムを３つ又は４つずつ備えることが好ましい。
【発明の効果】
【００１２】
本発明によれば、外カムの前端部が面取りされ又は丸みを帯びているので、ノック棒又は回転子との衝突による外カムの前端部の変形が低減される。また、射出成形で外カムを形成する場合、樹脂材の充填不足によるダレ等の成形不良の発生も低減される。したがって、本発明によれば、不良品の発生を抑制することで、生産性の向上を可能とするノック式筆記具が提供される。
【図面の簡単な説明】
【００１３】
【図１】図１（ａ）〜（ｃ）は、それぞれ、本発明の実施形態に係る筆記具の平面図、正面図及び縦断面図である。
【図２】図２は、筆記具の概略分解斜視図である。
【図３】図３は、図２のノック機構の拡大図である。
【図４】図４は、ノック機構の模式図である。
【図５】図５（ａ）〜（ｄ）は、非筆記状態から筆記状態への変化を示すノック機構の模式図である。
【図６】図６（ａ）〜（ｄ）は、筆記状態から非筆記状態への変化を示すノック機構の模式図である。
【図７】図７（ａ）、（ｂ）は、それぞれ、本発明の第１実施形態に係る外カムを備えた後軸筒の縦断面図及び図７（ａ）の部分拡大図である。
【図８】図８（ａ）、（ｂ）は、それぞれ、本発明の第１実施形態に係る外カムを備えた後軸筒の破断斜視図及び図８（ａ）の部分拡大図である。
【図９】図９は、図７（ａ）のＡ−Ａ線に沿った断面図である。
【図１０】図１０（ａ）、（ｂ）は、それぞれ、本発明の第２実施形態に係る外カムを備えた後軸筒の縦断面図及び図１０（ａ）の部分拡大図である。
【図１１】図１１（ａ）、（ｂ）は、それぞれ、本発明の第２実施形態に係る外カムを備えた後軸筒の破断斜視図及び図１１（ａ）の部分拡大図である。
【図１２】図１２は、図１０（ａ）のＢ−Ｂ線に沿った断面図である。
【図１３】図１３（ａ）、（ｂ）は、それぞれ、本発明の第３実施形態に係る外カムを備えた後軸筒の縦断面図及び図１３（ａ）の部分拡大図である。
【図１４】図１４（ａ）、（ｂ）は、それぞれ、本発明の第３実施形態に係る外カムを備えた後軸筒の破断斜視図及び図１４（ａ）の部分拡大図である。
【図１５】図１５は、図１３（ａ）のＣ−Ｃ線に沿った断面図である。
【図１６】図１６は、前端部が面取りされた外カムを内カムが乗り越える様子を示す模式図である。
【図１７】図１７（ａ）、（ｂ）は、それぞれ、従来技術に係る外カムを備えた後軸筒の縦断面図及び図１７（ａ）の部分拡大図である。
【図１８】図１８（ａ）、（ｂ）は、それぞれ、従来技術に係る外カムを備えた後軸筒の破断斜視図及び図１８（ａ）の部分拡大図である。
【図１９】図１９は、図１７（ａ）のＤ−Ｄ線に沿った断面図である。
【発明を実施するための形態】
【００１４】
以下、添付図面を参照して本発明の実施形態を説明する。
【００１５】
最初に、図１及び図２を参照して、筆記具１の構成について簡単に説明する。本実施形態では、筆記具１の例としてノック式ボールペンが示される。
【００１６】
図１（ａ）〜（ｃ）は、それぞれ、本発明の実施形態に係る筆記具１の平面図、正面図及び縦断面図である。図２は、筆記具１の概略分解斜視図である。なお、図１に示されるように、本明細書において、筆記具１の先端すなわちペン先側を筆記具１の「前」側と定義し、筆記具１の軸線方向（長手方向）に沿って筆記具１のペン先とは反対側を筆記具１の「後」側と定義する。
【００１７】
筆記具１は、クリップ３と一体である後軸筒５と、後軸筒５の前方に配置された前軸筒７と、前軸筒７の外面上に形成されたグリップ９と、筆記具１の後端部に配置されたノックカバー１１と、筆記具１の前端部に配置されたクチプラ１３と、後軸筒５の内部に収容されたノック機構１００と、ノック機構１００の前方に延在するリフィル１５と、リフィル１５を後方に付勢するスプリング１７とを備える。なお、クリップ３と後軸筒５とは別体であってもよい。また、前軸筒７とクチプラ１３とは一体であってもよい。
【００１８】
リフィル１５は、インキを収容したインキ収容管１９の前端部にボールペンチップ２１を装着して構成される。ノックカバー１１は、指で前後に移動せしめられることによってボールペンチップ２１をクチプラ１３から出没させる。
【００１９】
次に、図３を参照して、ノック機構１００について詳細に説明する。
【００２０】
図３は、図２のノック機構１００の拡大図である。ノック機構１００は、内筒３０と、内筒３０内に収容されるノック棒４０及び回転子５０とを備える。回転子５０はノック棒４０の前方に配置される。内筒３０、ノック棒４０及び回転子５０は、それぞれ、樹脂の射出成形によって成形される。なお、内筒３０は後軸筒５と一体であってもよい。また、後軸筒５は前軸筒７と一体であってもよい。本明細書では、内筒３０、後軸筒５及び前軸筒７を総じて軸筒と称する。
【００２１】
内筒３０の内周面の後端部には、図３において破線で示されるように、４つの外カム３１が周方向に等間隔に設けられる。隣接する外カム３１間には、前後方向に延在する４つの溝３２が形成される。各外カム３１は、前後方向に延在し且つ周方向に連続して配置された３つの棒状部３３、３４、３５から成る。真ん中に配置された第２の棒状部３４は、後述するノック棒４０の突起４１が、両端の第１の棒状部３３と第３の棒状部３５との間、すなわち、第２の棒状部３４の上に収容されるように、第１の棒状部３３と第３の棒状部３５との間に凹部を形成すべく第１の棒状部３３及び第３の棒状部３５よりも薄い径方向の厚みを有する。なお、内筒３０はノック操作によって移動しない。
【００２２】
ノック棒４０の前側の外周面には、８つの突起４１が周方向に等間隔に設けられる。各突起４１は、ノック操作によって、外カム３１内、より具体的には第１の棒状部３３と第３の棒状部３５との間の凹部内、又は外カム３１間の溝３２内を前後方向に摺動するように構成される。また、ノック棒４０の前端部にはカム面４２が形成される。カム面４２は８つの山部４３及び谷部４４を有する。ノック棒４０の後端部はノックカバー１１と係合する。なお、ノック棒４０はノックカバー１１と一体であってもよい。
【００２３】
回転子５０は、ノック棒４０との芯合わせに使用される小径部５１と、小径部５１の前方に配置された大径部５２とから成る。大径部５２は小径部５１よりも大きな直径を有する。大径部５２の後端部には、ノック棒４０のカム面４２と相補的な形状のカム受け面５３が形成される。カム受け面５３はカム面４２と同様に８つの山部５４及び谷部５５を有する。大径部５２の外周面には、前後方向に延在する４つの内カム５６が周方向に等間隔に設けられる。内カム５６は、ノック操作によって回転子５０が周方向に回転すると、外カム３１と係合し又は外カム３１間の溝３２内に収容される。内カム５６が外カム３１間の溝３２内に収容されるとき、外カム３１は内カム５６間の溝５７内に収容される。
【００２４】
ノック棒４０のカム面４２及び回転子５０のカム受け面５３は、内カム５６が外カム３１と係合し又は外カム３１間の溝３２内に収容されるとき、カム面４２の山部４３が、周方向において、カム受け面５３の隣接する山部５４と谷部５５との間の斜面上に位置するように構成される。このため、ノック操作によってカム面４２の斜面がカム受け面５３の斜面を押圧すると、回転子５０は周方向の分力を受けて周方向に回転する。一方、ノック棒４０は、突起４１が外カム３１の第１の棒状部３３又は第３の棒状部３５に周方向に当接することによって周方向の回転が規制される。
【００２５】
以下、図４〜図６を参照して、ノック操作によってペン先が出没する原理について詳細に説明する。
【００２６】
図４は、ノック機構１００の模式図である。図５（ａ）〜（ｄ）は、非筆記状態（ボールペンチップ２１がクチプラ１３内に没入している状態）から筆記状態（ボールペンチップ２１がクチプラ１３から突出している状態）への変化を示すノック機構１００の模式図である。図６（ａ）〜（ｄ）は、筆記状態から非筆記状態への変化を示すノック機構１００の模式図である。図４〜図６では、説明を分かりやすくするために、内筒３０、ノック棒４０及び回転子５０は、周方向に展開された模式図で示される。また、ノック機構１００が３つの外カム３１及び内カム５６を備える場合について説明する。なお、外カム３１及び内カム５６の数が４つであっても、ノック操作によってペン先が出没する基本的な原理は同じである。
【００２７】
最初に、非筆記状態から筆記状態への変化について説明する。図５（ａ）は非筆記状態のノック機構１００の模式図である。このとき、リフィル１５を介してスプリング１７によって後方に付勢された回転子５０の内カム５６は内筒３０の外カム３１間の溝３２内に収容される。したがって、この状態では、ボールペンチップ２１はクチプラ１３内に没入している。また、ノック棒４０の突起４１は外カム３１の第１の棒状部３３と第３の棒状部３５との間の凹部内又は外カム３１間の溝３２内に収容される。ノック棒４０のカム面４２の山部４３は回転子５０のカム受け面５３の隣接する山部５４と谷部５５との間の斜面上に位置する。
【００２８】
図５（ｂ）は、図５（ａ）の状態からノックカバー１１が押圧され、ノック棒４０及び回転子５０がスプリング１７の付勢力に抗して前進しているときのノック機構１００の模式図である。このとき、突起４１は第１の棒状部３３と第３の棒状部３５との間の凹部内又は溝３２内を前方に摺動する。また、ノック棒４０及び回転子５０はカム面４２及びカム受け面５３の斜面を介して互いに反対方向の周方向の分力を受ける。
【００２９】
図５（ｃ）は、ノック棒４０及び回転子５０が更に前進してカム面４２の山部４３及び谷部４４とカム受け面５３の谷部５５及び山部５４とが一致したときのノック機構１００の模式図である。ノック棒４０及び回転子５０が更に前進して、内カム５６の後端部が前後方向において外カム３１の前端部を越えると、回転子５０は、周方向の分力によって、カム面４２の山部４３及び谷部４４とカム受け面５３の谷部５５及び山部５４とが一致するまで周方向（前方から見たときに反時計回り）に回転する。
【００３０】
図５（ｄ）は、筆記状態のノック機構１００の模式図である。図５（ｃ）の状態からノックカバー１１を離すと、ノックカバー１１及び回転子５０はスプリング１７の付勢力によって後退する。このとき、内カム５６の後端部は外カム３１の第１の棒状部３３の前端部と係合する。その後、内カム５６は外カム３１の斜面から周方向の分力を受けて第２の棒状部３４の位置まで周方向に回転する。このとき、内カム５６は外カム３１と係合して後退が妨げられ、インキ収容管１９を介して回転子５０に連結されたボールペンチップ２１はクチプラ１３から突出する状態に保たれるので、筆記が可能となる。
【００３１】
次に、筆記状態から非筆記状態への変化について説明する。図６（ａ）は、筆記状態のノック機構１００の模式図であり、図５（ｄ）に対応する。
【００３２】
図６（ｂ）は、図６（ａ）の状態からノックカバー１１が押圧され、ノック棒４０及び回転子５０がスプリング１７の付勢力に抗して前進しているときのノック機構１００の模式図である。ノック操作が開始されると、ノック棒４０のカム面４２が回転子５０のカム受け面５３に当接するので、回転子５０がノック棒４０と共に前進する。
【００３３】
図６（ｃ）は、ノック棒４０及び回転子５０が更に前進してカム面４２の山部５４及び谷部５５とカム受け面５３の谷部５５及び山部５４とが一致したときのノック機構１００の模式図である。ノック棒４０及び回転子５０が更に前進して、内カム５６の後端部が前後方向において外カム３１の前端部を越えると、回転子５０は、周方向の分力によって、カム面４２の山部４３及び谷部４４とカム受け面５３の谷部５５及び山部５４とが一致するまで周方向（前方から見たときに反時計回り）に回転する。
【００３４】
図６（ｄ）は、非筆記状態に戻るときのノック機構１００の模式図である。図６（ｃ）の状態からノックカバー１１を離すと、ノックカバー１１及び回転子５０はスプリング１７の付勢力によって後退する。このとき、内カム５６の後端部は外カム３１の第３の棒状部３５の前端部と係合する。その後、内カム５６は外カム３１の斜面から周方向の分力を受けて外カム３１間の溝３２内に収容されるので、インキ収容管１９を介して回転子５０に連結されたボールペンチップ２１はクチプラ１３内に没入される。
【００３５】
以下、外カムの形状について詳細に説明する。
【００３６】
最初に、比較のために、図１７〜図１９を参照して、従来技術に係る外カム３１ｄの形状について説明する。図１７（ａ）、（ｂ）は、それぞれ、従来技術に係る外カム３１ｄを備えた後軸筒５の縦断面図及び図１７（ａ）の部分拡大図である。図１８（ａ）、（ｂ）は、それぞれ、従来技術に係る外カム３１ｄを備えた後軸筒５の破断斜視図及び図１８（ａ）の部分拡大図である。図１９は、図１７（ａ）のＤ−Ｄ線に沿った断面図である。また、図１９には、参考のために回転子５０の回転方向が示される。
【００３７】
図１９に示されるように、後軸筒５の内周面の後端部には、４つの外カム３１ｄが周方向に等間隔に設けられ、隣接する外カム３１ｄ間には、４つの溝３２ｄが形成される。図１７〜図１９に示されるように、外カム３１ｄは、前後方向に延在し且つ周方向に連続して配置された３つの棒状部３３ｄ、３４ｄ、３５ｄから成る。図１９に示されるように、真ん中の第２の棒状部３４ｄは、両端の第１の棒状部３３ｄと第３の棒状部３５ｄとの間に凹部を形成すべく第１の棒状部３３ｄ及び第３の棒状部３５ｄよりも薄い径方向の厚みを有する。
【００３８】
図１７〜図１９に示されるように、第１の棒状部３３ｄの前端部及び第３の棒状部３５ｄの前端部は、面取りされてなく、角張った形状を有する。このため、組立時にノック棒４０の突起４１又は回転子５０の内カム５６が外カム３１ｄの前端部に衝突することが多く、衝突が強いと、外カム３１ｄの前端部が変形する場合がある。このことはノック不良を引き起こすおそれがある。
【００３９】
次に、本発明の第１実施形態〜第３実施形態に係る外カム３１ａ、３１ｂ、３１ｃの形状について説明する。以下の説明では、従来技術と同様の部分については説明を省き、従来技術と異なる部分を中心に説明する。
【００４０】
以下、図７〜図９を参照して、本発明の第１実施形態に係る外カム３１ａの形状について説明する。図７（ａ）、（ｂ）は、それぞれ、本発明の第１実施形態に係る外カム３１ａを備えた後軸筒５の縦断面図及び図７（ａ）の部分拡大図である。図８（ａ）、（ｂ）は、それぞれ、本発明の第１実施形態に係る外カム３１ａを備えた後軸筒５の破断斜視図及び図８（ａ）の部分拡大図である。図９は、図７（ａ）のＡ−Ａ線に沿った断面図である。また、図９には、回転子５０の回転方向が示される。
【００４１】
図７〜図９に示されるように、外カム３１ａは、前後方向に延在し且つ周方向に連続して配置された３つの棒状部３３ａ、３４ａ、３５ａから成る。両端の第１の棒状部３３ａ及び第３の棒状部３５ａの前端部は、その径方向最内部が面取りされている。
【００４２】
以下、図１０〜図１２を参照して、本発明の第２実施形態に係る外カム３１ｂの形状について説明する。図１０（ａ）、（ｂ）は、それぞれ、本発明の第２実施形態に係る外カム３１ｂを備えた後軸筒５の縦断面図及び図１０（ａ）の部分拡大図である。図１１（ａ）、（ｂ）は、それぞれ、本発明の第２実施形態に係る外カム３１ｂを備えた後軸筒５の破断斜視図及び図１１（ａ）の部分拡大図である。図１２は、図１０（ａ）のＢ−Ｂ線に沿った断面図である。また、図１２には、回転子５０の回転方向が示される。
【００４３】
図１０〜図１２に示されるように、外カム３１ｂは、前後方向に延在し且つ周方向に連続して配置された３つの棒状部３３ｂ、３４ｂ、３５ｂから成る。両端の第１の棒状部３３ｂ及び第３の棒状部３５ｂの前端部は径方向全体に亘って面取りされている。
【００４４】
以下、図１３〜図１５を参照して、本発明の第３実施形態に係る外カム３１ｃの形状について説明する。図１３（ａ）、（ｂ）は、それぞれ、本発明の第３実施形態に係る外カム３１ｃを備えた後軸筒５の縦断面図及び図１３（ａ）の部分拡大図である。図１４（ａ）、（ｂ）は、それぞれ、本発明の第３実施形態に係る外カム３１ｃを備えた後軸筒５の破断斜視図及び図１４（ａ）の部分拡大図である。図１５は、図１３（ａ）のＣ−Ｃ線に沿った断面図である。また、図１３には、回転子５０の回転方向が示される。
【００４５】
図１３〜図１５に示されるように、外カム３１ｃは、前後方向に延在し且つ周方向に連続して配置された３つの棒状部３３ｃ、３４ｃ、３５ｃから成る。両端の第１の棒状部３３ｃ及び第３の棒状部３５ｃの前端部は周方向全体に亘って面取りされている。
【００４６】
本発明の第１実施形態〜第３実施形態では、外カム３１ａ、３１ｂ、３１ｃの前端部が面取りされている。このため、筆記具１の組立時にノック棒４０の突起４１又は回転子５０の内カム５６が外カム３１ａ、３１ｂ、３１ｃの前端部に衝突することが少なくなり、組立が容易且つ迅速になる。
【００４７】
また、外カム３１ａ、３１ｂ、３１ｃの前端部の面取りによって、外カム３１ａ、３１ｂ、３１ｃの角部等の角張った部分をなくすことができる。このため、ノック棒４０及び回転子５０が外カム３１ａ、３１ｂ、３１ｃの前端部に強く衝突したとしても、外カム３１ａ、３１ｂ、３１ｃの前端部の変形量が小さくなる。したがって、ノック不良の発生が抑制される。さらに、射出成形で外カム３１ａ、３１ｂ、３１ｃを形成する場合、樹脂の充填が困難な部分がなくなるので、樹脂材の充填不足によるダレ等の成形不良の発生も低減される。また、角張った微小な形状がなくなり、金型の製作及び保守も容易となる。なお、外カム３１ａ、３１ｂ、３１ｃの前端部は、面取りされる代わりに、角張った部分が丸みを帯びるように形成されてもよい。また、外カム３１ａ、３１ｂ、３１ｃの前端部は、第１の棒状部３３ａ、３３ｂ、３３ｃ又は第３の棒状部３５ａ、３５ｂ、３５ｃの一方の前端部のみが面取りされ又は丸みを帯びていてもよい。
【００４８】
本発明の第１実施形態〜第３実施形態では、代替的に、外カム３１ａ、３１ｂ、３１ｃ及び外カム３１ａ、３１ｂ、３１ｃ間の溝３２ａ、３２ｂ、３２ｃの数は３つずつであってもよい。この場合、ノック棒４０の前側の外周面には６つの突起４１が設けられ、カム面４２及びカム受け面５３は、それぞれ、６つの山部４３、５４及び谷部４４、５５を有する。また、回転子５０には３つの内カム５６が設けられる。
【００４９】
前述したように、内カム５６の後端部は、ノックカバー１１が押圧されて離されると、外カム３１の第１の棒状部３３又は第３の棒状部３５の前端部と係合する。このことによって、内カム５６は外カム３１の斜面から周方向の分力を受けて周方向に回転する。図１６は、前端部が面取りされた外カム３１を内カム５６が乗り越える様子を示す模式図である。図１６では、ノック棒４０は省略されている。図１６に示されるように、外カム３１の前端部が面取りされると、典型的には前端部の斜面が小さくなる。このため、ノック棒４０による回転子５０の回転量が足りないと、破線の円内に示されるように、内カム５６の後端部が外カム３１の前端部を乗り越えられないという不具合が生じる。この場合、筆記具１は筆記状態から非筆記状態又は非筆記状態から筆記状態に変化することができなくなり、ノック不良が発生する。
【００５０】
内カム５６及び外カム３１の数が４つずつの場合、１回のノック操作で回転子５０は４５°移動し、８回のノック操作で回転子５０は一周する。一方、内カム５６及び外カム３１の数が３つずつの場合、１回のノック操作で回転子５０は６０°移動し、６回のノック操作で回転子５０は一周する。すなわち、１回のノック操作による回転子５０の回転角度は、内カム５６及び外カム３１の数が３つずつの場合の方が大きい。この場合、回転角度に比例して、ノック棒４０による回転子５０の回転量も大きくなる。回転子５０の回転量が大きければ、ノックカバー１１が押圧されて離されたとき、内カム５６の後端部は、外カム３１の前端部と確実に係合する。したがって、外カム３１の前端部の面取り量が同じである場合、内カム５６及び外カム３１の数が３つずつの方が４つずつの場合よりもノック不良の発生が抑制される。
【００５１】
以上、本発明に係る好適な実施形態を説明したが、本発明はこれら実施形態に限定されるものではなく、特許請求の範囲の記載内で様々な修正及び変更を施すことができる。例えば、筆記具は、ノック操作によってペン先が出没するタイプの筆記具であれば、シャープペン等の他の筆記具であってもよい。
【符号の説明】
【００５２】
１    筆記具
３    クリップ
５    後軸筒
７    前軸筒
９    グリップ
１１    ノックカバー
１３    クチプラ
１５    リフィル
１７    スプリング
１９    インキ収容管
２１    ボールペンチップ
３０    内筒
３１、３１ａ、３１ｂ、３１ｃ、３１ｄ    外カム
３２、３２ａ、３２ｂ、３２ｃ、３２ｄ    外カム間の溝
３３、３３ａ、３３ｂ、３３ｃ、３３ｄ    第１の棒状部
３４、３４ａ、３４ｂ、３４ｃ、３４ｄ    第２の棒状部
３５、３５ａ、３５ｂ、３５ｃ、３５ｄ    第３の棒状部
４０    ノック棒
４１    突起
４２    カム面
４３    カム面の山部
４４    カム面の谷部
５０    回転子
５１    小径部
５２    大径部
５３    カム受け面
５４    カム受け面の山部
５５    カム受け面の谷部
５６    内カム
５７    内カム間の溝
１００    ノック機構
【図１】
2015003443.tif 000003
【図２】
2015003443.tif 000004
【図３】
2015003443.tif 000005
【図４】
2015003443.tif 000006
【図５】
2015003443.tif 000007
【図６】
2015003443.tif 000008
【図７】
2015003443.tif 000009
【図８】
2015003443.tif 000010
【図９】
2015003443.tif 000011
【図１０】
2015003443.tif 000012
【図１１】
2015003443.tif 000013
【図１２】
2015003443.tif 000014
【図１３】
2015003443.tif 000015
【図１４】
2015003443.tif 000016
【図１５】
2015003443.tif 000017
【図１６】
2015003443.tif 000018
【図１７】
2015003443.tif 000019
【図１８】
2015003443.tif 000020
【図１９】
2015003443.tif 000021